(57)【要約】      （修正有）【課題】光漏洩防止及び防塵防虫の効果を有し、排熱作用を高めたＬＥＤスポットライト座の排熱フィンを提供する。【解決手段】ＬＥＤスポットライト座の排熱フィン１の内側底部に延伸して少なくとも一枚の光遮断片１１，１２が設けられてある複数個の排熱フィンと、電気コネクター３と発熱ユニット４とをそれぞれ連結し、電気コネクターは排熱基座２の上端に締め付けられ、発熱ユニット４は排熱基座２の底面部下側に寄せ付け結合されてなる排熱基座と、を含み、上述構成により、各排熱フィン１をランプ座の排熱基座に取り囲み固定するとともに、隣接する光遮断片を用いて閉鎖した光遮断壁を取り囲み形成し、ランプ座は光漏洩防止及び防塵防虫が可能になることを特徴とする。【選択図】図１
0003159599.tif 000002
【実用新案登録請求の範囲】
【請求項１】
LEDスポットライト座の排熱フィンであって、
LEDスポットライト座の排熱フィンの内側底部に延伸して少なくとも一枚の光遮断片が設けられてある複数個の排熱フィンと、
電気コネクターと発熱ユニットとをそれぞれ連結し、電気コネクターが排熱基座の上端に締め付けられ、発熱ユニットが排熱基座の底面部下側に寄せ付け結合されてなる排熱基座と、からなり、
上述構成により、前記排熱フィンを前記排熱基座に取り囲み固定するとともに、隣接する光遮断片を用いて閉鎖した光遮断壁を取り囲み形成し、光漏洩防止及び防塵防虫が可能になることを特徴とするLEDスポットライト座の排熱フィン。
【請求項２】
前記各排熱フィンの光遮断片は排熱フィンの本体一側から垂直方向の一体連接を形成することを特徴とする、請求項１記載のLEDスポットライト座の排熱フィン。
【請求項３】
前記排熱基座の発熱ユニットは複数個のLEDから直列構成されたことを特徴とする、請求項１記載のLEDスポットライト座の排熱フィン。
【請求項４】
前記排熱フィンには光遮断片の隣接辺側から更に第二光遮断片が増やし設けられることを特徴とする、請求項１記載のLEDスポットライト座の排熱フィン。
【請求項５】
前記第二光遮断片は排熱フィンの本体一側から水平方向の一体連結を形成することを特徴とする、請求項４記載のLEDスポットライト座の排熱フィン。
【請求項６】
前記排熱フィンは外側端面に逆折曲げ部が設けられることを特徴とする、請求項１記載のLEDスポットライト座の排熱フィン。
【考案の詳細な説明】
【技術分野】
【０００１】
本考案はLEDスポットライト(ｓｐｏｔ  ｌｉｇｈｔ)座の排熱フィン(ｆｉｎ)の改善設計に係り、特にその排熱フィンは延伸して成型された光遮断片を利用したものを指すので、LEDスポットライト座は閉鎖した光遮断壁を構成し、これによって光漏れ防止、防塵防虫することができ、並びに排熱面積を増やすことができる、LEDスポットライト座の排熱フィンに関する。
【背景技術】
【０００２】
従来のLEDスポットライトは低い電気消耗の特性を具えるが、LED発光体の耐熱程度が低いので、排熱を解決することは重要な課題である。これまで知っているLEDスポットライトの排熱ランプ(ｌａｍｐ)座は、あるものはダイキャスト(ｄｉｅ  ｃａｓｔ)成型された金属の排熱殻座を採用しているので、全体的にずいぶん重く、排熱効果もよくなく、鈍重に現われてコスト(ｃｏｓｔ)が高いので、実用的とは言えない。
【０００３】
現在周知のLEDスポットライトは複数の排熱フィンを利用したものもあり、それはランプ座の円柱形排熱基座に輻射状に取り囲み結合し、排熱基座にLED発光体から直列構成された発光ユニット(ｕｎｉｔ)を寄せ付け結合し、発光ユニットの高熱は排熱基座と排熱フィンを通じて快速に排除され、これによって排熱の効率を高める。
【０００４】
図６に示すように、前述複数の排熱フィンをもって取り囲み結合された従来のLEDスポットライトは、各排熱フィン10の間に離れ隙間Aが発生するので、排熱基座20が一部の光漏れを遮るほか、残りの光線は各隙間Aから直接射出して光漏れの問題が生じ、同時にほこりが内部で堆積し、LEDスポットライトを汚すだけでなく、かつ掃除しにくく、また光線は光に飛び込む虫を吸い付くので、常に虫の死体を粘着して汚れがしみつき、使用上非常に困窮する。
【０００５】
また、前記周知の排熱フィン10は薄い金属のシート(ｓｈｅｅｔ)であるので、外側の端面は鋭利な耳を具え、全体的ランプ座の周囲は鋭利な刃のようであり、不注意であると手を切ることがあるので改善する必要がある。
【考案の概要】
【考案が解決しようとする課題】
【０００６】
本考案の主な目的はLEDスポットライト座の排熱フィンの改善設計を提供するもので、それは各排熱フィンの内部底面に延伸して最少一つの光遮断片が設けられ、各排熱フィンがランプ座の排熱基座を取り囲み固定した場合、隣接した光遮断片を用いて閉鎖した光遮蔽壁を形成し、そのためにランプ座は光漏洩防止及び防塵防虫の効果を達成し、並びに遮蔽壁によって排熱面積が増え、更に進んで排熱作用を高める、LEDスポットライト座の排熱フィンを提供することにある。
【０００７】
本考案の次の目的は各排熱フィンの外側端面に逆曲げ部が設けられ、これによって排熱フィンの鋭利な耳を改善し、排熱フィンの外側端面は鈍化した端面になり、接触するときに手を切ることが避けられるLEDスポットライト座の排熱フィンを提供することにある。
【課題を解決するための手段】
【０００８】
LEDスポットライト座の排熱フィンの改善設計で、それは主に各排熱フィンの内側底部に延伸して最少一つの光遮断片が設けられ、複数個の排熱フィンがランプ座の排熱基座を取り囲み固定した場合、複数の隣接した光遮断片を用いて閉鎖した光遮蔽壁を形成し、それによってランプ座は光漏洩防止及び防塵防虫の効果を達成し、並びに排熱面積が増える。
【図面の簡単な説明】
【０００９】
【図１】本考案をLEDランプに応用した分解立体図である。
【図２】本考案をLEDランプに応用した組合せ立体図である。
【図３】本考案をLEDランプに応用した局部組合せ断面図である。
【図４】本考案中の排熱フィンの拡大立体図である。
【図５】本考案中の排熱フィンの局部断面図である。
【図６】従来のLEDスポットライトの組合せ立体図である。
【考案を実施するための形態】
【００１０】
図１と図２に示すように、本考案が行う「LEDスポットライト座の排熱フィンの改善」の主要は、複数個の排熱フィン1を輻射状に排熱基座2に取り囲み結合し、並びに電気コネクター3(ｃｏｎｎｅｃｔｏｒ)を結合してLEDスポットライト座を構成するので、それは次のものを含む。
【００１１】
複数個の排熱フィン1、それは各排熱フィン1の内側底部に延伸して最少一枚の第一光遮断片11が設けられ、第一光遮断片11は排熱フィン1の本体一側から垂直方向の一体連接を形成する。
【００１２】
排熱基座2、それらはそれぞれ電気コネクター3及び発熱ユニット4と連結し、電気コネクター3は排熱基座2の上端に締め付けられ、発熱ユニット4は複数個のLEDから直列して構成され、かつ排熱基座2の底面部21に寄せ付け結合し、排熱基座2の外環壁には各排熱フィン1の逐一嵌め込みに用いられる複数個の隣接する嵌め溝22が設けられるが、排熱フィン1と排熱基座2の結合形態は上述嵌め込み固定方式に限らなく、例えば溶接または其の他結合の手段の採用も、すべて実行可能である。
【００１３】
上述部材により、各排熱フィン1をランプ座の排熱基座2に取り囲み固定し、並びに隣接する第一光遮断片11を用いて閉鎖した光遮断壁を取り囲み形成するので、ランプ座は光漏洩防止及び防塵防虫の効果を達成し、並びに光遮断壁をもって排熱面積を増やし、廃熱作用を更に高める。
【００１４】
上述各排熱フィン1は排熱基座2と互いの組合せ結合を形成するが、排熱基座2の直径が小さい場合（図面の実施例に示す如く）、各排熱フィン1は第一光遮断片11の隣接辺側に更に第二光遮断片12を増やし設けてもよく、図４に示すように、前述第二光遮断片12は排熱フィン1の本体一側から水平方向の一体連接を形成し、かつ第一光遮断片11と隣接辺側を形成しているが、第二光遮断片12は必要な設置でなく、それは排熱基座2と排熱フィン1の組合せ直径によって任意に増減することができ、排熱基座2の直径が小さい場合は隙間が現れることを避けるため、第二光遮断片12によって二列目の閉鎖した光遮断壁を取り囲み形成し、ランプ座に完全な光漏洩防止及び防塵防虫の効果が達成するように排熱面積を増やすこともできる。
【００１５】
図５、図６に示すように、本考案の排熱フィン1は更にその外側端面に逆折曲げ部13が設けられてもよく、これによって各排熱フィン1には鈍化した端面を具え、各排熱フィン1の鋭利な耳を改善し、接触時に手を切ることが避けられる。
【００１６】
上述LEDランプ座の電気コネクター3または発光ユニット4はすべて周知の部材であり、電気コネクター3の実施形態は拘わらず、発光ユニット4のLEDの数も必要によって自由に増減して直列することができる。
【００１７】
本考案によって構成されたLEDランプ座は、必要時に排熱フィン1全セット(ｓｅｔ)の外部に更に排熱フィン1の外側端面が露出しないよう外殻座を組合せて設置する。または簡単な環巻を用いてその環巻を排熱フィン1全セットの最も外縁端部に束ね設け、排熱フィン1全セットを囲いつけて強化固定し、最もよい保護効果が達成するが、それらはすべて簡易技術の増減変更であり、ここでは別に説明を加えない。
【００１８】
このほか、本考案の排熱基座2は中空または実心の基座でもよく、甚だしくは排熱基座2の形状は円管に限ることなく、例えば三角形、四角形、多辺形または其の他幾何形状の排熱基座はすべて採用することができ、特に制限する必要はない。また各排熱フィン1の形状、大きさ、規格または排列形態はもちろん適当に変更することができ、およそ同じ技術内容に基づいて行った簡単な変化または同等効果の入れ替え行為は、すべて本案の技術範疇から離脱しないものと見なすべきである。
【符号の説明】
【００１９】
1      排熱フィン
11     第一光遮断片
12     第二光遮断片
13     逆折曲げ部
2      排熱基座
21     底面部
22     嵌め溝
3      電気コネクター
4      発熱ユニット
【図１】
0003159599.tif 000003
【図２】
0003159599.tif 000004
【図３】
0003159599.tif 000005
【図４】
0003159599.tif 000006
【図５】
0003159599.tif 000007
【図６】
0003159599.tif 000008